(57)【特許請求の範囲】
【請求項１】
シャンプーボウルと、前記シャンプーボウルの上面開口を塞ぐフードとを有し、前記フードがフード本体と該フード本体に取り付けられたフェイスシールとを備えた自動洗髪機において、前記フェイスシールがＵ字状に切り欠かれ、その両縁部に延出した一対のシール部の先端部に、シャンプーボウル側に設けた掛け金に着脱自在な掛け板を備え、掛け板の先端がシール部の先端部を挟んで折り返され、この折り返し部と前記掛け板の先端との間にシール部の先端部を挟んだ状態でワンタッチ係合可能な係合機構を備え、
前記係合機構は、前記掛け板または前記折り返し部の一方に形成された爪部と、この爪部が係合する前記掛け板または前記折り返し部の他方に形成された孔部とで構成され、
前記掛け金が前記シャンプーボウルの前壁内面に配置され、前記掛け板が上方から差し込まれると、前記掛け金が弾発して前記掛け板を任意の位置で係止すると共に、前記掛け板の前記シール部が接触する面に先端側から徐々に高くなるリブを備えたことを特徴とする自動洗髪機。
【請求項２】
前記掛け板と前記折り返し部との間が幅狭の連結片で連結されることを特徴とする請求項１に記載の自動洗髪機。
【請求項３】
前記掛け板に、前記シール部に設けたスリットに係合する係合片を備えたことを特徴とする請求項１または２に記載の自動洗髪機。
【請求項４】
前記掛け板に、前記フード本体から突出したピンに前記掛け板を引っかけるための孔部を備えたことを特徴とする請求項１乃至３のいずれか一項に記載の自動洗髪機。
【発明の詳細な説明】
【技術分野】
【０００１】
この発明は、例えば理美容院、福祉施設、病院等で使用される自動洗髪機に関する。
【背景技術】
【０００２】
一般に、被洗髪者の頭部及び髪を収めるシャンプーボウルの内側に、頭頂に向けて洗浄水を噴射する頭頂用ノズルリンク、及び襟足に向けて洗浄水を噴射する襟足用ノズルリンクを備えた自動洗髪機が知られている（例えば、特許文献１参照）。
この種のものでは、シャンプーボウルの上面開口を塞ぐフードを有し、該フードがフード本体と該フード本体に取り付けられたフェイスシールとを備え、被洗髪者がシャンプーボウルの内側に頭部及び髪を収めた後に、上記フードを閉めてフェイスシールで被洗髪者の顔脇を塞いだ状態で、洗浄水を噴射している。即ち、フェイスシールはシャンプーボウルとの間における水封機能を備えており、自動洗髪時には、被洗髪者の顔の大きさに応じて上下にスライドさせて使用される。
【先行技術文献】
【特許文献】
【０００３】
【特許文献１】特開平７−２３６５１１号公報
【発明の概要】
【発明が解決しようとする課題】
【０００４】
しかし、従来の技術では、フェイスシールを上下にスライドさせた後、フェイスシールの先端部をシャンプーボウルの内面に垂らしており、その先端部をシャンプーボウルの内面に固定する操作をしていない。この場合には、フェイスシールの水封機能が十分に発揮されず、被洗髪者の耳下の首周辺から水が漏れる恐れがあり、水封機能を十分に発揮するためには、オペレータにとって困難な作業となっていた。
そこで、本発明の目的は、上述した従来の技術が有する課題を解消し、フェイスシールをスライドさせた後に、簡単な操作で、フェイスシールの水封機能を十分に発揮できるようにした自動洗髪機を提供することにある。
【課題を解決するための手段】
【０００５】
本発明は、シャンプーボウルと、前記シャンプーボウルの上面開口を塞ぐフードとを有し、前記フードがフード本体と該フード本体に取り付けられたフェイスシールとを備えた自動洗髪機において、前記フェイスシールが略Ｕ字状に切り欠かれ、その両縁部に延出した一対のシール部の先端部に、シャンプーボウル側に設けた掛け金に着脱自在な掛け板を備え、掛け板の先端がシール部の先端部を挟んで折り返され、この折り返し部と前記掛け板の先端との間にシール部の先端部を挟んだ状態でワンタッチ係合可能な係合機構を備え、前記係合機構は、前記掛け板または前記折り返し部の一方に形成された爪部と、この爪部が係合する前記掛け板または前記折り返し部の他方に形成された孔部とで構成され、前記掛け金が前記シャンプーボウルの前壁内面に配置され、前記掛け板が上方から差し込まれると、前記掛け金が弾発して前記掛け板を任意の位置で係止すると共に、前記掛け板の前記シール部が接触する面に先端側から徐々に高くなるリブを備えたことを特徴とする。
この発明では、各シール部の先端部の掛け板を、シャンプーボウル側に設けた掛け金に着脱するだけの簡易な操作で、各シール部を被洗髪者の首周辺に適宜に配置でき、フェイスシールの水封機能を十分に発揮できる。
また、折り返し部と前記掛け板の先端との間にシール部の先端部を挟んだ状態でワンタッチ係合可能な係合機構を備えたため、仮にシール部が破損しても、折り返し部と掛け板の先端との間の係合機構の係合を解除するだけで、シール部から掛け板が簡単に離脱し、シール部の交換が容易である。
【０００６】
この場合において、前記掛け板と前記折り返し部との間が幅狭の連結片で連結されていてもよい。
前記掛け板に、前記シール部に設けたスリットに係合する係合片を備えていてもよい。
前記掛け板に、前記フード本体から突出したピンに前記掛け板を引っかけるための孔部を備えていてもよい。
【発明の効果】
【０００７】
本発明では、各シール部の先端部の掛け板を、シャンプーボウル側に設けた掛け金に着脱するだけの簡易な操作で、各シール部を被洗髪者の首周辺に適宜に配置でき、フェイスシールの水封機能を十分に発揮できる。
また、折り返し部と前記掛け板の先端との間にシール部の先端部を挟んだ状態でワンタッチ係合可能な係合機構を備えたため、仮にシール部が破損したとしても、折り返し部と掛け板の先端との間の係合機構の係合を解除するだけで、シール部から掛け板が簡単に離脱し、シール部を簡単に交換できる。
【図面の簡単な説明】
【０００８】
【図１】一実施形態にかかる自動洗髪機の内部構成を示す概略断面図である。
【図２】図１のシャンプーボウル部分の拡大図である。
【図３】自動洗髪機に使用する水の流れを示す水路図である。
【図４】シャンプーボウル部分の拡大図である。
【図５】Ａはフェイスシールの斜視図、Ｂはピンの断面図である。
【図６】同フェイスシールの斜視図である。
【図７】Ａはシャンプーボウルの前壁内面を示す斜視図、Ｂは掛け金の側面図、Ｃは掛け金の正面図である。
【図８】掛け板の正面図である。
【図９】Ａは掛け板の正面図、Ｂは同Ｂ−Ｂ断面図、Ｃは同Ｅ−Ｅ断面図である。
【図１０】Ａは図９ＡのＤ−Ｄ断面図、Ｂは同Ｃ−Ｃ断面図である。
【発明を実施するための形態】
【０００９】
以下、本発明の一実施の形態を、添付図面を参照して説明する。
図１において、１は自動洗髪機を示している。この自動洗髪機１は、被洗髪者の頭部を収容するためのシャンプーボウル２と、シャンプーボウル２を保持するシャンプーボウル保持台３と、シャンプーボウル保持台３の前方に配置され、被洗髪者が座るための椅子４と、椅子４を保持する椅子保持台５とを備えている。シャンプーボウル２は、図２に示すように、その上面に開口を有する碗状の部材である。シャンプーボウル２の前側には、仰向け姿勢の被洗髪者の首元を、シャンプーボウル２の内側に臨ませた状態にして、被洗髪者の後頭部を支える頭部支えネット７０が配置されている。また、シャンプーボウル２の前側の壁部２Ａには、椅子４に座った状態で被洗髪者が仰向けで、頭部支えネット７０に後頭部を載せた状態で、首を載せることができるネック台７が配置されている。
シャンプーボウル２の上面の開口は、フード８により覆うことができる。フード８は、その後端が連結部９を介してシャンプーボウル２の後端に連結されていて、連結部９を中心にして鉛直面内で回動可能となっている。洗髪時などには、フード８を開いた状態で、椅子４に座っている被洗髪者の首をネック台７に載せた後、フード８を閉じることにより、被洗髪者の頭部をシャンプーボウル２内に収容することができる。
【００１０】
シャンプーボウル２内には、被洗髪者の頭部および髪に向けて洗浄水（温水、シャンプー液が混入された温水、トリートメント液が混入された温水など）を噴射するための上ノズルリンク（頭頂用ノズルリンク）１１および下ノズルリンク（襟足用ノズルリンク）１２が配置されている。上ノズルリンク１１は、被洗髪者の頭部に沿うように、図示位置で上に凸の略円弧状に湾曲し、所定間隔でノズルを有する管状の部材であって、その左端部が回動可能に片持ち支持されており、被洗髪者の頭部に向かって洗浄水を噴射する。
下ノズルリンク１２は、後方に向かって洗浄水を噴射することにより、後方側に垂れ下がった被洗髪者の髪（想像線で示す。）を洗浄する。この下ノズルリンク１２は、被洗髪者の髪を囲うように、図示位置で左方に凸の略弓形状に湾曲し、所定間隔でノズルを有する管状の部材であって、その左端部が上ノズルリンク１１よりも下方で回転可能に片持ち支持されている。また、シャンプーボウル２内には、仰向け姿勢の被洗髪者の首元に向けて洗浄水を噴射する首元用ノズルリンク８０が配置されている。
【００１１】
上下ノズルリンク１１，１２、および首元用ノズルリンク８０には、それぞれ複数のノズルが備えられていて、洗髪時には、上下ノズルリンク１１，１２、および首元用ノズルリンク８０内に送られてきた洗浄水が各ノズルから噴射される。上下ノズルリンク１１，１２は回動し、首元用ノズルリンク８０は固定である。各ノズルから洗浄水を噴射することで、被洗髪者の頭部および髪の全体を洗浄できる。シャンプーボウル２内の後側上部には、ハンドシャワー１３が配置されている。オペレータ（美容院の従業員など）は、ハンドシャワー１３の右方に配置されたコック１４を回すことにより、ハンドシャワー１３から放水する水量を調節して、手動で洗髪できる。
【００１２】
自動洗髪機１で使用する水は、図３に示すように、機外の水道設備および給湯設備（図示せず）からミキシングバルブ１５および給水管１６を介して機内に供給される。ミキシングバルブ１５には、水道設備から水供給部１７を介して水が与えられるとともに、給湯設備から湯供給部１８を介して湯が与えられる。ミキシングバルブ１５は、水供給部１７および湯供給部１８から与えられる水および湯を混合し、温水にして給水管１６に送り出すためのものである。給水管１６内の途中部には、ミキシングバルブ１５から送り出される温水の温度を検知するためのサーミスタ１９が配置されている。サーミスタ１９の検知結果に基づいてモータ２０が駆動されることにより、ミキシングバルブ１５が開閉されて水と湯との混合割合が調整され、設定温度の温水が生成される。ミキシングバルブ１５は、モータ２０で調整される電動タイプである。モータ２０は、ＤＣモータまたは直流電動機であり、ブラシなどを備えている。
また、シャンプーボウル２の側方には、操作パネル６０（図２）が設けられており、設定温度は、オペレータ（ユーザ）が操作パネル６０を操作することにより決定される。給水管１６は、途中部（サーミスタ１９よりも下流側）からハンドシャワー用給水管２１と貯湯用給水管２２とに分岐している。ハンドシャワー用給水管２１は、コック１４によって開閉可能なハンドシャワー用バルブ２３を介してハンドシャワー１３に連通している。一方、貯湯用給水管２２は、給湯バルブとしての貯湯バルブ２４を介して貯湯タンク２５内に温水を供給することができる。
【００１３】
貯湯タンク２５の内部には、当該貯湯タンク２５に貯められている温水の水位を検知するための第１水位センサ２６および第２水位センサ２７が、上下方向に一定間隔を空けて配置されている。貯湯タンク２５内の温水が使用されて、所定の最低水位に達したことが第２水位センサ２７により検知された場合には、貯湯バルブ２４が開かれて、貯湯タンク２５内に温水が供給される。その後、貯湯タンク２５内の温水が所定の最高水位に達したことが第１水位センサ２６により検知されると、貯湯バルブ２４が閉じられて、温水の供給が停止する。このようにして、貯湯タンク２５内には、最低水位と最高水位との間で、常に温水が貯められた状態となっている。
【００１４】
貯湯タンク２５の上部（第１水位センサ２６よりも上方）には、第１水位センサ２６の故障などに起因して貯湯タンク２５内に最高水位以上の温水が供給された場合に、その余分な温水を貯湯タンクの外部に溢れ出させるための溢水口２８が形成されている。溢水口２８から溢れ出した温水は、オーバフロータンク２９によって受けられ、このオーバフロータンク２９に連通する排水管３０を通って機外に排出される。オーバフロータンク２９内にはオーバフローセンサ３１が配置され、たとえば排水管３０が詰まってオーバフロータンク２９内の水位が最高水位に到達したことがオーバフローセンサ３１によって検知された場合には、自動洗髪機１の運転が停止される。
【００１５】
貯湯タンク２５の最下部には、一端がメインポンプ３２に接続された吸込管３３の他端が接続されている。メインポンプ３２は、インバータ（図示せず）から交流電流が供給されることにより駆動され、吸込管３３を介して貯湯タンク２５内の温水を吸い込むものである。吸込管３３の途中には、シャンプー液が収容されたシャンプー容器３４に至るシャンプー供給管３５と、トリートメント液が収容されたトリートメント容器３６に至るトリートメント供給管３７とが接続されている。シャンプー供給管３５およびトリートメント供給管３７の途中部には、それぞれシャンプー用ポンプ３８およびトリートメント用ポンプ３９が備えられていて、シャンプー用ポンプ３８およびトリートメント用ポンプ３９の働きにより、吸込管３３内を通る温水に、シャンプー液およびトリートメント液の混入量を適度に調整することにより、メインポンプ３２には、そのとき使用すべき洗浄水が汲み込まれることとなる。
【００１６】
吸込管３３からメインポンプ３２内に吸い込まれた洗浄水は、複数（たとえば、４つ）の分路を有する送水管４０に送り出される。送水管４０内には、フィルタ４１が設けられていて、その下流側の５つの分路には、上ノズルバルブ４２、下ノズルバルブ４３、首元用ノズルバルブ７４、排水バルブ４４および予備バルブ４５の５つのバルブが設けられている。上ノズルバルブ４２、下ノズルバルブ４３、首元用ノズルバルブ７４、排水バルブ４４および予備バルブ４５が設けられた５つの分路には、それぞれ、分岐路４６，４７，７５，４８，４９が延設されている。上ノズルバルブ４２から延設された分岐路４６の終端は上ノズルリンク１１に接続され、下ノズルバルブ４３から延設された分岐路４７の終端は下ノズルリンク１２に接続され、首元用ノズルバルブ７４から延設された分岐路７５の終端は首元用ノズルリンク８０に接続される。
シャンプーボウル２の底面には、当該シャンプーボウル２内に水を排出するための排出口５０が形成されていて、この排出口５０は、下水の臭気の逆流を防止するための排水トラップ５１を介して排水管３０に連通している。これにより、シャンプーボウル２の排水口５０から排出された水は、排水管３０を通って、機外に排水される。排水バルブ４４から延設された分岐路４８の終端は、排水トラップ５１に接続される。
【００１７】
図４は、フード８の概略構成図である。
フード８は、シャンプーボウル２の上面開口を塞ぐことが可能な剛性を持つ硬質樹脂製のフード本体８１と、フード本体８１に取り付けられた軟質樹脂製のフレキシブルなフェイスシール８３とを備えて構成されている。フレキシブルなフェイスシール８３は、正面視で逆Ｕ字状に切り欠かれており（図５参照）、その両縁部が被洗髪者の髪の生え際に沿って首下側に延出し、耳の下を回して洗髪時の水の飛び散りを防止し、シャンプーボウル２の前側の壁部２Ａに係止されている。フェイスシール８３の上部はスライダー８９に保持され、スライダー８９はフード本体８１の上部前面にスライド自在に支持されている。９５はロック機構であり、ロック機構９５が解除されると、スライダー８９が上下にスライド自在となり、スライダー８９に保持されたフェイスシール８３が上下にスライド自在となる。被洗髪者の顔の大きさに応じて、フェイスシール８３を上下にスライドできるため、フェイスシール８３の逆Ｕ字状に切り欠かれた部分を、被洗髪者の髪の生え際に密着させることができ、洗髪時の水封機能を高められる。
【００１８】
図５及び図６は、フェイスシール８３の斜視図である。
フレキシブルなフェイスシール８３は、上述のように、正面視で逆Ｕ字状に切り欠かれており、その両縁部には所定幅の一対のシール部８３Ａが延出し、シール部８３Ａの各先端部には、樹脂製板状の掛け板８５が取り付けられている。
図７は、シャンプーボウル２の前壁内面を示す図である。
シャンプーボウル２の前壁部には上記ネック台７が配置され、その内側に上記頭部支えネット７０が配置されている。図２に示すように、椅子４に座った状態で被洗髪者が仰向けで、頭部支えネット７０に後頭部を載せ、ネック台７に首を載せる。ネック台７は上方にばね付勢され、被洗髪者の首の高さ及び後頭部の高さの差に応じて上下動自在に構成されている。本構成では、シャンプーボウル２の前壁内面２Ａに、左右一対の掛け金１０１が取り付けられている。掛け金１０１は、図７Ｂ及び図７Ｃに示すように、前壁内面２Ａに固定されるプレート１０１Ａと、プレート１０１Ａに固定された略Ｕ字状に曲がるフック１０１Ｂとを有し、前壁内面２Ａとフック１０１Ｂの隙間δ３に、上述した樹脂製板状の掛け板８５を差し込み可能に構成されている。
【００１９】
図８乃至図１０は、掛け板８５を示す。
掛け板８５は樹脂製板状であり、図８に示すように、平板状の本体８５Ａと、本体８５Ａに一対の幅狭のフレキシブルな連結片８５Ｂ，８５Ｃで連結された折り返し部８５Ｄとを備え、本体８５Ａ、連結片８５Ｂ，８５Ｃ及び折り返し部８５Ｄを一体に樹脂成形して製造されている。本体８５Ａの表面は、図８に示すように平坦であり、本体８５Ａの裏面には、図９Ａに示すように、長手方向に延びる複数本のリブ８５Ｅが一体に形成されている。各リブ８５Ｅは略同一の形状であり、図９Ｂに示すように、中央部８５Ｆが一定高さＨ１で高く形成され、先端側８５Ｇがなだらかに傾斜して低くなり、後端側８５Ｈが急に傾斜して低くなっている。また、各リブ８５Ｅの間は、図９Ａ，Ｃに示すように、横リブ８５Ｉにより連結され、剛性が高められている。
この掛け板８５は、図５及び図６に示すように、フェイスシール８３のシール部８３Ａの先端部に取り付けられ、取り付けする時には、本体８５Ａと折り返し部８５Ｄとの間にシール部８３Ａの先端部を挟んで、折り返し部８５Ｄを折り返して、折り返し部８５Ｄと本体８５Ａとを結合機構によりワンタッチで結合する。
【００２０】
つぎに、結合機構を説明する。
折り返し部８５Ｄの平板部には、図８に示すように、一対の押し片８５Ｘが設けられ、一対の押し片８５Ｘは、基部８５Ｊを基準に先端が変位自在である。すなわち、一対の押し片８５Ｘは、折り返し部８５Ｄの平板部を、基部８５Ｊを残して、周囲を切り溝８５Ｋにより切り抜くことで変位自在に形成される。折り返し部８５Ｄの基部８５Ｊには、図９Ａに示すように、一対の矩形状の爪部８５Ｍが形成され、爪部８５Ｍが係合する矩形状の孔部８５Ｎが、本体８５Ａに形成されている。一対の孔部８５Ｎは、図１０Ａに示すように、本体８５Ａに設けたボス８５Ｏに形成され、一対の爪部８５Ｍは、図１０Ｂに示すように、基部８５Ｊに設けた矩形状のボス８５Ｌの先端に形成されている。フェイスシール８３には、折り返し部８５Ｄのボス８５Ｌが貫通する孔（不図示）があけられており、図５及び図６に示すように、折り返し部８５Ｄを折り返すと、ボス８５Ｌが該孔（不図示）を貫通し、爪部８５Ｍが本体８５Ａの孔部８５Ｎに結合される。
【００２１】
この爪部８５Ｍと孔部８５Ｎとの結合機構は、図６を参照し、一対の押し片８５Ｘの先端を指で押すことで結合を解除できる。
各押し片８５Ｘの先端を指で押すと、折り返し部８５Ｄの一対のボス８５Ｌ（図１０Ｂ参照。）が、本体８５Ａから離れる方向に変位し、これにより、爪部８５Ｍが本体８５Ａの孔部８５Ｎから離脱し結合解除される。
本体８５Ａには、図８に示すように、左右に突出した一対の係合片８５Ｐが形成され、一対の係合片８５Ｐが嵌り合うスリット８５Ｑが、図５及び図６に示すように、フェイスシール８３のシール部８３Ａに形成されている。この構成では、掛け板８５とフェイスシール８３の横方向への相対ずれを防止できる。
本体８５Ａには、図８及び図９に示すように、いわゆるだるま穴（孔部）８５Ｒが形成されている。だるま穴８５Ｒを、図４に示すフード本体８１の上部前面に設けたピン９７に引っかけることで、掛け板８５を係止できる。ピン９７は、図５Ｂに示すように、先端部９７Ａと、括れ部９７Ｂと、取付部９７Ｃとを有し、取付部９７Ｃの溝にフード本体８１を挟んで固定される。取付部９７Ｃの溝幅Ｗ１は、フード本体８１の板厚とほぼ等しく形成され、溝間の幅Ｗ２は、フード本体８１に設けた孔の径よりも若干大きく形成されており、ピン９７の装着時には、フード本体８１の孔からの水漏れが防止される。また、図５Ａに示すように、だるま穴８５Ｒの大径幅をＷ３、小径幅をＷ４とし、図５Ｂに示すように、先端部９７Ａの幅をＷ５、括れ部９７Ｂの幅をＷ６としたとき、大径幅Ｗ３＞先端幅Ｗ５、小径幅Ｗ４＜括れ幅Ｗ６に設定されている。大径幅Ｗ３＞先端幅Ｗ５としたことで、だるま穴８５Ｒの大径部への先端部９７Ａの挿入が容易となる。また、小径幅Ｗ４＜括れ幅Ｗ６としたことで、ピン９７を、だるま穴８５Ｒの大径部から小径部へ移動させるとき、ピン９７の括れ部９７Ｂが小径部へ密に嵌合し、上記ピン９７に対して、掛け板８５をしっかりと固定できる。
【００２２】
本構成では、図７を参照し、前壁内面２Ａとフック１０１Ｂの隙間δ３の大きさが、図９を参照し、各リブ８５Ｅの中央部８５Ｆの一定高さＨ１に、フェイスシール８３のシール部８３Ａの厚さを加えた寸法とほぼ等しく設定される。したがって、掛け板８５が上方から差し込まれると、フック１０１Ｂが弾発し、掛け板８５が任意の位置で係止される。また、フェイスシール８３のシール部８３Ａの先端部は、折り返し部８５Ｄと本体８５Ａの間に密着係止されるため、この先端部分の幅寸法は、上記隙間δ３よりもかなり小さく形成される。したがって、本構成の掛け板８５を上記隙間δ３に差し込む場合、差し込み初期は差し込みやすく、差し込みが進行すると、フック１０１Ｂの弾発で掛け板８５に保持力が働くため、操作性が向上する。
【００２３】
シール部８３Ａは、図４に示すように、被洗髪者の額の生え際をシールして延び、耳の下に回って顔脇を塞いだ後に、掛け板８５を、前壁内面２Ａとフック１０１Ｂの間の隙間δ３に挿入することにより支持される。
シール部８３Ａの長さは余裕をみて長めに設定され、頭部支えネット７０から耳下までの高さＨが低い被洗髪者の場合には、耳下を経た後のシール部８３Ａに、上に凸の余裕分の湾曲部８３Ｂが大きく現れ、その反対に耳下までの高さＨが高い場合には、上に凸の余裕分の湾曲部８３Ｂが小さく現れる。
本構成では、オペレータが、シール部８３Ａを被洗髪者の額に宛がい（このとき、被洗髪者の額はシール部８３Ａの切り欠き部に当接している）、耳下のラインに沿って配置した上で、掛け板８５を隙間δ３に挿入していくと、シール部８３Ａが耳に当たるまでシール部８３Ａが持ち上がり、シール部８３Ａが耳に当たったことを確認した時点で、掛け板８５の挿入動作を停止する。
この構成では、オペレータが、掛け板８５の差し込み深さを調整するだけの簡単な操作によって、シール部８３Ａを確実に耳に当てて、被洗髪者の顔の大きさに応じたフェイスシールを簡易に実現できる。
【符号の説明】
【００２４】
１  自動洗髪機
２  シャンプーボウル
２Ａ  前壁内面
８  フード
８１  フード本体
８３  フェイスシール
８３Ａ  シール部
８５  掛け板
８５Ｍ  爪部（結合機構）
８５Ｎ  孔部（結合機構）
１０１  掛け金
δ３  隙間
【図１】
0005596455.tif 000002
【図２】
0005596455.tif 000003
【図３】
0005596455.tif 000004
【図４】
0005596455.tif 000005
【図５】
0005596455.tif 000006
【図６】
0005596455.tif 000007
【図７】
0005596455.tif 000008
【図８】
0005596455.tif 000009
【図９】
0005596455.tif 000010
【図１０】
0005596455.tif 000011